【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
１つの物品の角に適応され、一対の実質的に直交する橋壁（３１、３２）により連結される一対の側壁（２３、２４）を含み、すくなくとも一方の側壁は前記側壁を通り伸長する開口（４０）を含む１つの角保護装置であって、
前記開口（４０）は前記角保護装置を所定の場所に保持するため、前記物品に接着する１つの接着パッド（Ｐ）を収容することを特徴とする角保護装置。
【請求項２】
前記橋壁は、１つの内溝（３５）により分離される内面を有することを特徴とする請求項１に記載の角保護装置。
【請求項３】
前記橋壁は、前記橋壁の１つの自由端から、前記側壁と橋壁との接合部と平行に伸長する内通路（３６）を有することを特徴とする請求項１に記載の角保護装置。
【請求項４】
前記側壁は、橋壁の外側の端の間で伸長し、湾曲され、全長にわたって相互に互いから段差のある縁（２７）を有することを特徴とする請求項１に記載の角保護装置。
【請求項５】
前記側壁の湾曲縁は実質的にＳ形状であることを特徴とする請求項４に記載の角保護装置。
【請求項６】
前記開口（４０）は１つの指ノッチ（４２）を含むことを特徴とする請求項１に記載の角保護装置。
【請求項７】
前記橋壁により接合される側壁の端は、一方の端または両端（２８、２９、３０）で各々湾曲されることを特徴とする請求項１に記載の角保護装置。
【手続補正２】
【補正対象書類名】明細書
【補正対象項目名】全文
【補正方法】変更
【補正の内容】
【発明の詳細な説明】
【発明の名称】角保護装置
【技術分野】
【０００１】
本発明は、取扱中および移送中にガラスシートの角を保護することを意図する角保護装置に関する。しかしながら、この装置は、例えば、金属シート、家具、絵画、大理石、石工工事等の他の容易に損傷される角を保護することにも使用できる。物品の角を保護することに加えて、この角保護装置は、そのような角との偶然の接触により生じる損傷の危険を減らす。さらに、以下で説明されるように、この角保護装置は、保護される角の間の領域に対する損傷の危険をも減少させる。
【背景技術】
【０００２】
例えば、ガラスシートは移送中および取扱中に度々、破砕される。ガラスシートの最も弱い部分は、ガラスシートの角の非常に近くに位置しており、より特定すれば、２つの実質的に平坦な面の接合部に位置していることが観察された。取扱中における破砕全体の約７５％は、角と他の硬い物品との直接的な接触により発生する。そのような接触により全シートが粉々に割れるかも知れず、取扱者に重傷を負わせる危険を生じる。
【０００３】
他の多くの破砕は、ガラスまたは大理石のシートのような砕け易いシートの底縁と、硬い物品との接触により生じ、このために、その上にシートを立てることになる任意の表面を注意深く点検し、整える必要がある。例えば、シートが自動車内で移送中にネジ、釘または小石上に不注意に置かれるならば、多くの場合、シートは損傷を受け、全シートは廃棄されることになるであろう。
【０００４】
本発明は、保護される物品の損傷の危険を実質的に減らし、取付けおよび取外しが容易であり、なお、要求される期間、所定個所に留まる角保護装置の新規で進歩性のある形状を提供することを目的とする。
【発明の開示】
【０００５】
本発明は、一対の実質的に垂直な橋壁により連結された一対の側壁を含む角保護装置を提案する。
【０００６】
橋壁の内面は、好ましくは実質的に平坦であり、好ましくは溝により分割される。そのような溝は、角保護装置が受ける任意の衝撃が、保護される物品の垂直な縁面の接合部に伝えられる危険を著しく減らす。内通路は、好ましくは側壁と橋壁との接合部に沿って設けられ、角保護装置との衝突の間、保護される物品の側面と縁面との接合部における応力を減少させる。
【０００７】
好ましくは、橋壁の外側の端の間に伸長する側壁の縁は、その全長の殆どの部分で互いに相手側から段差があり、好ましくは湾曲している。このことは、角保護装置が横方向の衝撃を受けた時に、角保護装置に囲まれる物品の角が割れる危険を減らす。
【０００８】
好ましくは、側壁の一方は、角保護装置を所定場所に保持するため、使用中保護される物品に接着する接着パッドを収容する開口を含む。開口は、角保護装置が所定位置に設置された後で接着パッドが開口を通して挿入されうるように、好適には、側壁を貫通して伸長する。開口は、角保護装置を取外すために、保護される物品からパッドを剥ぎ取ることを容易にする目的で、接着パッドの縁に接触可能な指ノッチを好適には有する。
【０００９】
保護される物品の角の領域に伝達される応力をさらに減らすため、橋壁により接合される側壁の縁は、好ましくは、一方の端または両端で湾曲される。
【００１０】
（図面の簡単な説明）
引用される次の説明および添付図面は、発明がどのようにして実施できるかを図示するため、非限定的な実施例として示される。
図１は、本発明による角保護装置の全体的な外観図である。
図２は、１枚のガラスの一般的にシート表面に適用された角保護装置の断面図である。
図３は、角保護装置のガラス面と垂直な図２の線ＩＩＩ−ＩＩＩでの断面図である。
図４は、本発明による変形した実施例での角保護装置の側面図である。
図５は、前記変形した実施例での角保護装置の側壁の間の断面図である。
図６は、角保護装置の図５の面ＶＩ−ＶＩでの別の断面図である。
【発明を実施するための最良の形態】
【００１１】
図１の実施例により示される角保護装置は、ガラスシートまたは類似した材料の角を保護することを目的とする。この角保護装置は射出成形プラスチック構造部品１と接着パッド２から成る。
【００１２】
プラスチック構造部品１は、相互に垂直な一対の橋壁１１、１２により連結される２つの実質的に平行な側壁３、４を有する。側壁３、４は全体的に三角形の輪郭を有し、一対の相互に垂直な縁５、６と傾斜縁７とを有する。垂直な縁５、６の間の接合領域８は、２つの縁間で滑らかな移行部を形成するために、好ましくは湾曲される。垂直な縁５、６の各々は、また、湾曲領域９に関して示されるように、傾斜縁７へ向けて湾曲してもよい。しかしながら、垂直な縁５、６の一方または両方は、１０で示されるように傾斜縁７と角度のある移行部を形成してもよい。
【００１３】
図２の断面を参照すると、橋壁１１、１２は、側壁３、４の垂直な縁５、６の間に伸長する。
【００１４】
２つの橋壁の内面１３、１４は、実質的に平坦で相互に垂直である。しかしながら、２つの壁が交わる場所において、橋壁の内面には、側壁３、４間に伸長する内溝１５が形成される。さらに、側壁３、４の内面には、橋壁１１、１２との接合部に沿って伸長する内通路１６が形成される。
【００１５】
接着パッド２は、周知の接触接着剤で形成、または被覆でき、スポンジのような弾力性を有する。パッドは全体的に三角形であり、図３で示されるように、一方の側壁４内の浅い適合する形状の溝１７内に設置される。使用前に接着パッドの露出表面は溝からわずかに突出する。対向する側壁３の傾斜縁７は、好ましくはノッチ１８（図１）で形成され、ノッチは全体的に接着パッド２の寸法と形状に一致する。このノッチは、製造中の接着パッドまたは角保護装置の適用を容易にし、また、接着パッドに適用される剥取り可能保護シートを、使用前に簡単に除去することを可能にする。
【００１６】
例えば、適切な厚さのガラスの長方形シートを保護するために、上記の角保護装置の１つは、シートの４つの角の各々に適用される。接着パッドから任意の剥取りシートを除去後に内面１３、１４がシートの隣接する直線縁Ａ、Ｂと接触するまで、角保護装置は図２、図３で示されるシートＧに対してシート面と平行な方向へスライドさせられる。そのようなスライド運動中には、弾性パッド２は、保護装置が適切な場所に配置され、接触時間が、強力な接着結合が進行するのに十分となるまで、接着を生じないように溝１７内に圧縮される。角保護装置は橋壁１１、１２によりしっかり固定されるが、角保護装置と縁Ａ、Ｂが交わるシートの角領域と接触することはないことに注目されたい。接触はまた内通路１６により縁Ａ、Ｂの端に沿って減少させられる。角保護装置と他の物品との接触により生じる衝撃は、それ故、縁Ａ、Ｂの領域を通過して分散される。
【００１７】
角保護装置は、保護される角との接触で発生する恐れのある損傷の危険を減らす。角保護装置の湾曲外部表面８、９は、シートを積み重ねる時に運動の容易さを提供し、角保護装置が蹴り外される危険を減らす。さらに、シートが平坦表面上に立てられるならば、シートの底縁Ｂは、角保護装置により平坦表面を離れて持ち上げられ、シートの底縁に対する損傷の危険を減らす。
【００１８】
角保護装置は、縁ＡおよびＢの内の一方と平行で接着結合より十分に強い力を適用することにより取外すことができる。角度のある領域１０は必要な場合ブーツまたは靴により力をかけることにより、角保護装置の取外しを容易にする。
【００１９】
図４−図６に変形された角保護装置の実施例を示す。それは、ガラスシートに取付けるのが幾分容易であり、より強固に取付けでき、角保護装置の強度がノッチ１８により損なわれないようにされている。図４によれば、角保護装置は、一対の相互に垂直な橋壁３１、３２により連結される２つの実質的に平行な側壁２３、２４を有する射出成形プラスチック製の構造部品２１から成る。側壁２３、２４は、両方共全体的に三角形状であり、凹状部分２７．１と凸状部分２７．２で構成される１つの第３の縁２７により接合される一対の相互に垂直な縁２５、２６を有する。凹状部分と凸状部分は、凹状部分２７．１が凸状部分２７．２と対向する位置にあるように、対向する側壁上では置き換えられる。この配列は、以下で説明するように角保護装置がガラスシートに取付けられている時に、力が角を横切り直線部分にかけられる代わりにガラスの１つの領域に分散され、角が破断される危険を実質的に減少させる効果がある。垂直な縁２５と縁２６との接合部は２８で湾曲され、互いに垂直な縁のそれぞれの反対側の端部は、縁２７に接続するように２９、３０で湾曲される。しかしながら、反対に、互いに垂直な縁２５、２６の一方または両方は、縁２７に対して角度のある移行部を形成してもよい。２つの側壁２３、２４は、両方が整列した貫通開口４０を備えて形成される。その開口は、長方形の主部分４１および小さな指ノッチ４２を備えた実質的にＴ形状である。主部分４１は、コルクまたは他の柔軟弾性材の接着剤で被覆されるパッドを受け入れるための形状であり、使用前に接着剤層に適用される剥取り可能保護シートを有してもよい。
【００２０】
図５を参照すると、橋壁３１、３２は、側壁２３、２４の垂直な縁２５、２６との間に伸長する。２つの橋壁の内面３３、３４は、実質的に平坦であり、相互に垂直であり、２つの壁が交わる場所に内溝３５が形成される。内通路３６は、図６で示されるように、側壁２３、２４と橋壁２１、２２との接合部に沿って伸長する。
【００２１】
橋壁３１、３２の外面には、それぞれの橋壁を横断して延び、図４で示される浅い底の平坦な溝３８を設けることができる。これらの溝は、移動中にしばしばガラスシートの周囲を取り囲む皮帯バンドを位置決め用に設けられる。
【００２２】
適切な厚さのガラスシートを保護するために、例えば、１つの角保護装置を４つの角の各々に適用する。角保護装置を内面３３、３４がガラスシートの隣接する直線縁と接触するまで、ガラスにスライドさせた後、接着パッドＰが開口４０の一方または両方を通して挿入され（図５を参照）、角保護装置を所定位置に保持するためにガラスに粘着される。
【００２３】
角保護装置は、損傷の危険を減らしてシートの角を保護する。溝３５はシートの角領域と接触しないことを確実にし、一方通路３６はシートの縁に沿って接触が減少することを確実にする。それ故、角保護装置に対する任意の衝撃は、傷つき易い縁から離れてガラスシート面に亘って分散される。
【００２４】
この角保護装置は、パッドの縁に指で接触可能にするためのノッチ４２を使用して、シートから接触パッドを剥取ることにより容易に取外すことができる。
【００２５】
ここで説明した角保護装置は、種々の厚さのシートを保護するために、種々の幅で製造できる。
【００２６】
ここで開示された特徴は、任意の実行可能な組合せで存在することが理解されるべきである。上記の説明は、組合せにより新規であると信じられる領域を強調しているが、ここに開示された特徴のいかなる進歩性のある組合も保護されるべきである。
【図面の簡単な説明】
【００２７】
【図１】本発明による角保護装置の全体的な外観図である。
【図２】１枚のガラスの一般的にシート表面に適用された角保護装置の断面図である。
【図３】角保護装置のガラス面と垂直な図２の線ＩＩＩ−ＩＩＩでの断面図である。
【図４】本発明による変形した実施例での角保護装置の側面図である。
【図５】前記変形した実施例での角保護装置の側壁の間の断面図である。
【図６】角保護装置の図５の面ＶＩ−ＶＩでの別の断面図である。
【符号の説明】
【００２８】
１  プラスチック構造部品
２  接着パッド
３，４  側壁
５，６  相互に垂直な縁
７  傾斜縁
１１，１２  橋壁
１５，３５  内溝
１６，３６  内通路
２３，２４  側壁
２７  第３の縁 
３５  内溝
４０  開口